(57)【要約】【課題】  第１の紙幣群の紙幣が搬送路で詰まっても、第２の紙幣群の紙幣或はセパレータカードを衝突させることのないようにする。【解決手段】  バーコード番号を記録したヘッダーカードによって仕切られる第１及び第２の紙幣群をその紙幣の重合方向に沿って載置する載置トレイ３と、この載置トレイ３に載置された第１及び第２の紙幣群Ｐ１，Ｐ２の紙幣、及びヘッダーカードを取り込む取込部８と、この取込部８によって取り込まれる紙幣を計数するとともにその種類を識別する識別部１５と、この識別部１５によって識別された紙幣をその種類に基づいて区分集積する複数の集積庫と、取込部８によって取り込まれるヘッダーカードを検出する検出センサ４３と、この検出センサ４３によってヘッダーカードが検出されたのに基づいて第２の紙幣群Ｐ２の取込みを停止し、一定時間経過後、第２の紙幣群Ｐ２の取込みを開始するように制御する制御部４７とを具備する。【選択図】      図４
2006099391.tif 000002
【特許請求の範囲】
【請求項１】
識別情報を記録したセパレータカードによって仕切られる第１及び第２の重合紙葉類群をその紙葉類の重合方向に沿って載置する載置部と、
この載置部に載置された前記第１及び第２の重合紙葉類群の紙葉類、及び前記セパレータカードを取り込む取込手段と、
この取込手段によって取り込まれた紙葉類を搬送する搬送手段と、
この搬送手段によって搬送される紙葉類を計数するとともにその種類を識別する処理手段と、
この処理手段によって識別された紙葉類をその種類に基づいて区分集積する複数の集積庫と、
前記取込手段によって取り込まれる前記セパレータカードを検出する検出手段と、
この検出手段によって前記セパレータカードが検出されたのに基づいて前記第２の紙葉類群の取込みを停止し、一定時間経過後、前記第２の紙葉類群の取込みを開始するように制御する制御手段と
を具備することを特徴とする紙葉類処理装置。
【請求項２】
前記セパレータカードの識別情報を読み取る読取手段を有し、
この読取手段によって読み取られた読取情報に基づいて前記取込部によって取り込まれた紙葉類の属する重合紙葉類群を識別することを特徴とする請求項１記載の紙葉類処理装置。
【請求項３】
前記第２の紙葉類群の取込は、前記第１の紙葉類群の紙葉類が全て前記集積庫に集積されたのち行われることを特徴とする請求項１記載の紙葉類処理装置。
【請求項４】
前記第２の紙葉類群の取込は、前記第１の紙葉類群の紙葉類が全て前記集積庫に集積され、かつ、前記集積された紙葉類が物理的に保存され、或いはその計数処理が完了したのち行われることを特徴とする請求項１記載の紙葉類処理装置。
【請求項５】
前記搬送手段はその中途部から異なる方向に分岐され、一方の方向に設けられた前記取込手段から最も遠い集積庫と他方の方向に設けられた前記取込手段から最も近い集積庫にそれぞれ紙葉類が到達する時間差以上の時間が経過しのち前記第２の紙葉類群の取出しが開始されることを特徴とする請求項１記載の紙葉類処理装置。
【請求項６】
前記第１の紙葉類群の最後の紙葉類と第２の紙葉類群の最初の紙葉類との間に目視で判別できる隙間が発生したのち取込みを開始することを特徴とする請求項１記載の紙葉類処理装置。
【請求項７】
前記第１の紙葉類群の紙葉類が全て計数済みとなったタイミングで前記第２の紙葉類群の取込が開始されることを特徴とする請求項1記載の紙葉類処理装置。
【発明の詳細な説明】
【技術分野】
【０００１】
本発明は、例えば、紙幣などの紙葉類を計数するとともに、その種類に応じて区分集積する紙幣整理機として適用される紙葉類処理装置に関する。
【背景技術】
【０００２】
この種の紙幣整理機では、袋や封筒に入れられて送られてくる紙幣を袋や封筒から取り出して取込部にセットさせ、このセットされた紙幣を１枚ずつ取り出して判別部に送り、ここで、その券種を判定するとともに、判定結果を集計することによって合計金額を得るようになっている。
【０００３】
計数する紙幣は例えばスーパーマーケット等の銀行顧客から銀行に対する入金現金であり、入金伝票が添付されるか、あるいは袋や封筒に口座番号や金額といった情報が記入されている。紙幣整理機では、袋または封筒の単位で紙幣の計数結果と入金伝票の金額を比較確認する。
【０００４】
従来、計数を入金毎に行う方法としては、１入金毎に袋や封筒を開封して紙幣を取り出し、この紙幣を取込部にセットして入金伝票の内容をインプットし、計数処理を行う方法がある。
【０００５】
しかしながら、この方法では、装置のオペレータが袋や封筒を開封し、紙幣をセットする間は計数装置が停止した状態となるため、スループットが低くなるという問題があった。
【０００６】
そこで、予め入金伝票の内容との関係を登録した番号をバーコード等にて印刷したセパレータカードを各入金間に挟んだ状態で取込部にセットし、このセットした紙幣を連続的に取込んで計数し、セパレータカードを入金の区切りとして認識し、かつ表面のバーコードを読み取って計数と対応させることで、個別の計数を得る方法が考えられている（例えば、特許文献１参照。）。
【特許文献１】特開２００２−３３４３６２号公報
【発明の開示】
【発明が解決しようとする課題】
【０００７】
しかしながら、セパレータカードを用いる方法では、紙幣が搬送路でジャムした場合、この詰まった紙幣に後続の紙幣またはセパレータカードが衝突して重なり、順序が分からなくなってしまうことがある。  
このため、紙幣が所属していた入金が不明となり、計数に誤りが発生するという問題あった。
【０００８】
本発明は上記事情に着目してなされたもので、その目的とするところは、先行の紙葉類群の紙葉類が搬送路で詰まっても、後続の紙葉類群の紙葉類或いはセパレータカードを衝突させることのないようにした紙葉類処理装置を提供することにある。
【課題を解決するための手段】
【０００９】
上記課題を解決するため、請求項１記載のものは、識別情報を記録したセパレータカードによって仕切られる第１及び第２の重合紙葉類群をその紙葉類の重合方向に沿って載置する載置部と、この載置部に載置された前記第１及び第２の重合紙葉類群の紙葉類、及び前記セパレータカードを取り込む取込手段と、この取込手段によって取り込まれた紙葉類を搬送する搬送手段と、この搬送手段によって搬送される紙葉類を計数するとともにその種類を識別する処理手段と、この処理手段によって識別された紙葉類をその種類に基づいて区分集積する複数の集積庫と、前記取込手段によって取り込まれる前記セパレータカードを検出する検出手段と、この検出手段によって前記セパレータカードが検出されたのに基づいて前記第２の紙葉類群の取込みを中断し、一定時間経過後、前記第２の紙葉類群の取込みを再開するように制御する制御手段とを具備する。
【発明の効果】
【００１０】
本発明によれば、先行の紙葉類群の紙葉類が搬送路で詰まっても、後続の紙葉類群の紙葉類或いはセパレータカードが衝突することがなく、正確に計数できる利点がある。
【発明を実施するための最良の形態】
【００１１】
以下、本発明を図面に示す実施の形態を参照して詳細に説明する。  
図１は本発明の一実施の形態である紙葉類処理装置としての紙幣整理機１の内部構成を概略的に示すものである。
【００１２】
紙幣整理機１は装置本体１ａを有し、この装置本体１ａの一側部側には紙葉類としての紙幣（以下、券と称することもある）Ｐを投入させる投入部２が設けられている。この投入部２には投入される複数枚の重合紙幣Ｐａを立位状態で載置する載置部としての載置トレイ３が設けられている。この載置トレイ３には重合紙幣Ｐａを押出す押出プレート５が設けられ、この押出プレート５はバネ材６によって弾性的に付勢されている。重合紙幣Ｐａの押出方向には紙幣Ｐを取り込むための取込手段としての取込部８が設けられている。取込部８は送出ローラ９、取出ローラ１０、及び分離ローラ７を有して構成されている。
【００１３】
取出ローラ１０によって取り出される紙幣Ｐは第１の搬送経路（搬送手段）１１に沿って搬送される。この第１の搬送経路１１は複数個のローラ１２と、これらローラ１２に掛け渡された搬送ベルト１３，１３とによって構成されている。この第１の搬送経路１１の券搬出側には、紙幣Ｐの金種、表裏、真偽等を識別する処理手段としての処理部１５が設けられている。処理部１５の搬出側には正券を第１の方向、リジェクト券を第２の方向に切り替える第１の切替ゲートＧ１が設けられている。第２の方向に送られるリジェクト券は、リジェクト庫１６に回収されるようになっている。第１の切替ゲートＧ１によって切り替えられる第１の方向には第２の切替ゲートＧ２が設けられている。この第２の切替ゲートＧ２によって券の搬送方向が第３及び第４の方向に切り替えられる。第３の方向には表向きの券を搬送する第２の搬送経路１８が設けられ、第４の方向には裏向きの券を搬送して反転部１９で反転させる第３の搬送経路２１が設けられている。
【００１４】
第２の搬送経路１８と第３の搬送経路２１とは合流部２３で合流され、合流部２３の券搬出側には第３の切替ゲートＧ３が設けられている。第３の切替ゲートＧ３は券の搬送方向を結束部２５側及び集積部２６側へ切り替えるものである。集積部２６には複数個の集積庫２８ａ〜３３ａが水平方向に配設されている。複数個の集積庫２８ａ〜３３ａの下部側には集積紙幣を収納させるカセット２８ｂ〜３３ｂが配設されている。また、複数個の集積庫２８ａ〜３３ａの上部側には券をその券種毎に集積庫２８ａ〜３３ａへ案内する第５乃至第９の切替ゲートＧ５〜Ｇ９が配設されている。
【００１５】
結束部２５には、券の搬送方向を第５及び第６の方向に切り替える第４の切替ゲートＧ４が設けられている。第５の方向には、第１の集積庫３５が設けられ、第６の方向には第２の集積庫３６が設けられている。第１及び第２の集積庫３５の下部側には第１及び第２の集積庫３５，３６に集積された券を結束位置３７へ搬送する搬送機構３９が設けられている。結束位置３７の近傍には結束テープを供給する供給リール３８が設けられている。
【００１６】
次に、上記した紙幣整理機の処理動作について説明する。
【００１７】
まず、紙幣整理機の操作部（図示しない）によって計数分類処理モード或いは、結束処理モードを設定する。
【００１８】
この状態から取込部８の送出ローラ９、取出ローラ１０、及び分離ローラ７を回転駆動する。これにより、紙幣Ｐが図２に示すように一枚づつ取込まれて供給される。この紙幣Ｐは第１の搬送経路１１を介して識別部１５へ送られて識別される。識別部１５でリジェクトすべきものであると識別された紙幣は第１の切替ゲートＧ１を介してリジェクト庫１６へリジェクトされる。識別部１５で正券と識別され、かつ反転する必要ないと識別された紙幣は第２の切替ゲートＧ２を介して第２の搬送経路１８へ送られて搬送される。識別部１５で正券と識別され、かつ反転する必要があると識別された紙幣は第２の切替ゲートＧ２を介して第３の搬送経路２１へ送られて反転されて搬送される。これら紙幣は合流部２３を通過して第３の切替ゲートＧ３へ向かって搬送される。
【００１９】
上記した操作部によって、例えば、計数分類処理モードが設定された場合には、第３の切替ゲートＧ３の切替動作によって紙幣は集積部２６の方向に搬送され、切替ゲートＧ５〜Ｇ９の切替動作によりその券種に応じた集積庫２８ａ（〜３３ａ）に区分集積される。集積庫２８ａ（〜３３ａ）に紙幣が所定枚数集積されると、図示しない押込機構によって集積紙幣はカッセト２８ｂ（〜３３ｂ）内に押し込まれて収納される。
【００２０】
また、操作部によって、結束処理モードが設定された場合には、第３の切替ゲートＧ３の切替動作によって紙幣は結束部２５の第４の切替ゲートＧ４の方向に搬送され、切替ゲートＧ４の切替動作によりその第１或いは第２の集積庫３５，３６に集積される。第１或いは第２の集積庫３５，３６に紙幣が所定枚数集積されると、搬送機構３９により結束位置３７に搬送されて結束テープ３８ａにより結束される。
【００２１】
図３は、上記した投入部２の載置トレイ３上に立位状態でセットされる重合紙幣Ｐａを示すものである。
【００２２】
重合紙幣Ｐａは第１の重合紙葉類群としての第１の紙幣群Ｐ１と第２の重合紙葉類群としての第２の紙幣群Ｐ２とからなる。第１の紙幣群Ｐ１と第２の紙幣群Ｐ２との間はセパレータカードとしてのヘッダーカード４１とトレーラーカード４２とによって仕切られている。ヘッダーカード４１  にはユニークな番号の識別情報としてのバーコード４１ａが印刷されている。
【００２３】
ところで、上記した取込部８の近傍には、図４に示すようにトレーラーカードを光学的に検出するための検出手段としての検出センサ４３が設けられている。検出センサ４３は信号回路を介して制御手段としての制御部４７に接続され、制御部４７には制御回路を介して取込部８の駆動機構４９が接続されている。
【００２４】
また、識別部１５の券排出側にはヘッダーカードのバーコードを読み取るための読取手段としてのバーコードリーダ４５が設けられている。バーコードリーダ４５及び識別部１５は送信回路を介して後述するデータベースサーバー５３に接続されている。
【００２５】
上記した紙幣Ｐの取込動作時においては、図６（ａ）に示す状態から第１の紙幣群Ｐ１の紙幣が取り込まれて図６（ｂ）に示すように第２の紙幣群Ｐ２のヘッダーカード４１が検出センサ４３によって光学的に検出されると、ヘッダーカード４１の取込後、或いは、取込前に制御部４７によって取込部８の駆動機構４９が一時的に停止されて紙幣の取込動作が停止されるようになっている。そして、後で詳しく述べるように一定時間経過後、図６（ｃ）に示すように第２の紙幣群Ｐ２の取込動作が再開されるようになっている。
【００２６】
なお、取り込まれたヘッダーカード４１は、識別部１５を通過後、バーコードリーダ４５によってその識別情報としてのバーコード番号が読み取られる。このヘッダーカード４１は、第１の切替ゲートＧ１を介してリジェクト集積庫１６に送られる。また、ヘッダーカード４１に続いて取り込まれた紙幣Ｐが識別部１５でリジェクトすべきものと判別された場合には、リジェクト集積庫１６にリジェクトされ、この紙幣は対応するヘッダーカード４１の上に集積されることになる。
【００２７】
また、識別部１５で処理された第１の紙幣群Ｐ１の金額、枚数等のデータはヘッダーカード番号と対応して後述するデータベースサーバー５３に書き込まれる。
【００２８】
図６はヘッダーカードの処理システムを示す構成図である。
【００２９】
この処理システムは準備ステーション５１を有し、これら準備ステーション５１は、信号回路を介してデータベースサーバー５３に接続されている。また、データベースサーバー５３には上記した紙幣処理機１が接続されているとともに、リジェクト手入力ステーション５４が接続されている。
【００３０】
準備ステーション５１は、ヘッダーカードの番号をバーコードリーダ５１ａで読取り、口座番号（バーコード使用の場合有り）、伝票金額、入金紙幣の枚数を入力（オプショナル）し、このデータをデータベースサーバー５３へ送信するとともに、オペレータ番号を入力するものである。
【００３１】
紙幣処理機１は、上記したように紙幣計数、券種分け、方向合わせ、結束、ヘッダーカードの読取（搬送中に実施）、データのデータベースサーバー５３への送信を行うものである。
【００３２】
リジェクト手入力ステーション５４は、ヘッダーカード番号の読取および手入力、紙幣枚数の入力、偽券情報の入力（券が偽券の場合に、その旨を登録）を行うものである。
【００３３】
データベースサーバー５３はデータベース機能、合算照合機能、及び印刷機能を有する。
【００３４】
データベース機能は、ヘッダーカード番号をキーとして下記データを保持する。
【００３５】
すなわち、カウント番号、伝票金額、機械計数紙幣枚数（複数回登録可能）、手入力紙幣枚数（複数回登録可能）、偽券枚数、コメント文言を保持する。
【００３６】
合算、照合機能は、複数回の機械計数枚数および手入力枚数を合算し、伝票金額との照合を行う。
【００３７】
印刷機能は、合算、照合結果を印刷する。
【００３８】
次に、上記したヘッダーカードの処理作業手順について説明する。
【００３９】
まず、オペレータは準備ステーション５１において、カード収納部から1枚目のヘッダーカード４１を取り出し、このヘッダーカード４１の番号をバーコードリーダ５１ａで読み取る。こののち、顧客から送られてきた入金袋を開封して紙幣群を取り出し、この紙幣群を上記した１枚目のヘッダーカード４１とトレラーカード４２とで挟んで紙幣整理機１の投入部２の載置トレイ３上に立位状態で載置する。
【００４０】
ついで、入金袋の伝票に記載されている口座番号（または封筒番号）および金額を準備ステーション５１で入力する。上記した動作を載置トレイ３が満杯になるまで繰り返す。準備ステーション５１で入力されたデータはデータベースサーバー５３に送信されて登録される。
【００４１】
このようにして準備ステーション５１での準備が終了したのち、上記した紙幣整理機を動作させる。この紙幣整理機の動作は上記した通りであり、その計数データ及びヘッダーカード番号などはデータベースサーバー５３に送信されて登録される。
【００４２】
一方、リジェクト庫１６にリジェクトされたリジェクト券はヘッダーカード４１との順番が狂わないように注意して別途用意した図示しないトレイに順次収納する。そして、このトレイ内に収納されたリジェクト券を再度、紙幣整理機の載置トレイ３上にセットして取り込み処理する。この処理によって得られた計数データ及びヘッダーカード番号はデータベースサーバー５３に送信されて登録される。
【００４３】
また、上記したリジェクト券の処理動作時に再度リジェクトされた券はリジェクト手入力ステーション５４で手計数によって入力される。このとき、同時にヘッダーカードの番号をバーコードリーダ５４ａで読み込む。
【００４４】
このようにして全てのリジェクト券の処理を終えたら、データベースサーバー５３で計数合算開始操作を行う。これにより、データベースサーバー５３に登録されたデータがヘッダーカード番号をキーとして口座番号毎に合算され、計数値が計算される。
【００４５】
ところで、上記した紙幣の取込動作時において、ヘッダーカード４１が検出センサ４３によって光学的に検出されると、紙幣の取込動作が停止されて所定時間経過後、紙幣の取込動作が再開されるが、取込再開の条件は下記のいずれかとする。
【００４６】
１）第１の紙幣群Ｐ１の紙幣が全て集積庫２８ａ（〜３３ａ）に搬送集積されたのち再開する。
【００４７】
２）第１の紙幣群Ｐ１の紙幣が全て集積庫２８ａ（〜３３ａ）に搬送集積され、更にカセット２８ｂ（〜３３ｂ）ヘの収納等の物理的動作および計数の保存等の処理を完了した後に再開する。
【００４８】
３）搬送経路が切替ゲートＧ３で枝分かれされている場合には、最も取込部８から遠い集積庫３６と最も近い集積庫２８ａへの紙幣の取込部８からの到達時間の差以上の時間が経過したのち再開する。これにより、第１の紙幣群Ｐ１の最後の紙幣が最も遠い集積庫３６に搬送され、第２の紙幣群Ｐ２の最初の紙幣が最も近い集積庫２８ａに搬送された場合でも、搬送経路に残った紙幣は全て第２の紙幣群Ｐ２の紙幣のみにすることが可能となる。
【００４９】
４）第１の紙幣群Ｐ１の最後の紙幣と第２の紙幣群Ｐ２の最初の紙幣との間の間隔が目視で容易に分かる程度の距離があいたのち再開する。
【００５０】
５）第１の紙幣群Ｐ１の紙幣が全て計数済みとなったタイミングで再開する。
【００５１】
なお、ヘッダータカードの検知は、磁気等の紙を透過する特定手段では正確にヘッダーカードを検出することが困難であるため、赤外線などの光学反射を用い、例えば数点の反射量を検出することで紙幣との区別を確実に行うことが必要である。
【００５２】
上記したように、この実施の形態によれば、第１の紙幣群Ｐ１と第２の紙幣群Ｐ２との間を仕切るヘッダーカード４１を検出することに基づいて紙幣の取り込みを中断して所定時間経過後、取り込みを再開するため、第１の紙幣群Ｐ１の紙幣が搬送路上でジャムした場合でも、第２の紙幣群Ｐ２から取り込まれた紙幣が第１の紙幣群Ｐ１のジャム紙幣に衝突することがない。
【００５３】
従って、第１の紙幣群Ｐ１から取り込まれた紙幣と、第２の紙幣群Ｐ２から取り込まれた紙幣の順序が分からなくなるようなことがない。よって、紙幣が所属していた入金が不明になるといったことがなく、計数の誤りを確実に防止することができる。
【００５４】
なお、本発明は、上記一実施の形態に限られることなく、その要旨の範囲内で種々変形実施可能なことは勿論である。
【図面の簡単な説明】
【００５５】
【図１】本発明の一実施の形態である紙幣整理装置を示す構成図。
【図２】同紙幣整理装置の紙幣取込動作を示す図。
【図３】同紙幣整理装置の投入部に投入される重合紙幣群を示す斜視図。
【図４】同紙幣整理装置の検出センサー及びヘッダーカードのバーコードリーダの配置構成を示す図。
【図５】同紙幣整理装置の取込部から取り込まれる紙幣の状態を示す図。
【図６】同紙幣整理装置で用いられるヘッダーカードの処理システムを示す図。
【符号の説明】
【００５６】
３…載置トレイ（載置部）、８…取込部（取込手段）、１１…搬送路（搬送手段）、１５…識別部（処理手段）、２８ａ〜３３ａ…集積庫、  ４１ａ…バーコード番号（識別情報）、４１…ヘッダーカード（セパレータカード）、４３…検出センサ（検出手段）、４７…制御部（制御手段）、４５…バーコードリーダ（読取手段）。
【図１】
2006099391.tif 000003
【図２】
2006099391.tif 000004
【図３】
2006099391.tif 000005
【図４】
2006099391.tif 000006
【図５】
2006099391.tif 000007
【図６】
2006099391.tif 000008